(57)【要約】連続トラックアセンブリ用の多材トラックパッド（１００）が開示されている。前記トラックパッド（１００）は、地面係合面（１１０）を備える本体（１０５）であって、前記本体（１０５）は、第１の硬度を有する金属材料で形成されている本体（１０５）と、ローラー係合面（１１５）であって、前記ローラー係合面（１１５）は、前記第１の硬度よりも大きい第２の硬度を有するセラミック材料で形成されているローラー係合面（１１５）と、前記セラミック材料で形成されているスプロケット係合面（１２０）とを含み得る。  【選択図】図1
2021523851.tif 000002
【特許請求の範囲】
【請求項１】
以下を含む連続トラックアセンブリ用のトラックパッド（１００）：
地面係合面（１１０）を備えた本体（１０５）であって、
前記本体（１０５）は、第１の硬度を有する金属材料で形成されている、本体（１０５）；
ローラー係合面（１１５）であって、
前記ローラー係合面（１１５）は、前記第１の硬度よりも大きい第２の硬度を有するセラミック材料で形成されているローラー係合面（１１５）；及び
前記セラミック材料で形成されているスプロケット係合面（１２０）。
【請求項２】
前記トラックパッド（１００）を別のトラックパッド（１００）にリンクさせるように構成されている１つ以上のブッシング（１２５）をさらに含み、
前記１つ以上のブッシング（１２５）は、前記本体（１０５）に配置し、前記セラミック材料で形成されている、
請求項１に記載のトラックパッド（１００）。
【請求項３】
前記ローラー係合面（１１５）は、前記本体（１０５）に埋め込まれる、請求項１または２に記載のトラックパッド（１００）。
【請求項４】
前記ローラー係合面（１１５）は、前記本体（１０５）の表面に提供される、請求項１〜３のいずれか一項に記載の連続トラックパッド（１００）。
【請求項５】
前記ローラー係合面（１１５）は、実質的に平坦である、請求項１〜４のいずれか一項に記載の連続トラックアセンブリ用のトラックパッド（１００）。
【請求項６】
前記ローラー係合面（１１５）は、実質的に互いに平行である複数のローラー係合面（１１５）のうちの１つである、請求項１〜５のいずれか一項に記載のトラックパッド（１００）。
【請求項７】
前記スプロケット係合面（１２０）は、湾曲している、請求項１〜６のいずれか一項に記載のトラックパッド（１００）。
【請求項８】
前記スプロケット係合面（１２０）は、スプロケットが互いに異なる方向に動作するとき、前記スプロケットと係合するように構成されている複数のスプロケット係合面（１２０）のうちの１つである、請求項１〜７のいずれか一項に記載のトラックパッド（１００）。
【請求項９】
以下を含む連続トラックアセンブリ用のトラックパッド（１００）：
第１の硬度を有する第１の材料で形成されている本体（１０５）；
前記連続トラックアセンブリのローラー（３００）と係合するように構成されているローラー係合面（１１５）であって、
前記ローラー係合面（１１５）は、前記第１の硬度よりも大きい第２の硬度を有する第２の材料で形成され、前記第２の材料は、前記ローラー（３００）と係合するように構成されている、ローラー係合面（１１５）；及び
前記第２の材料で形成されているスプロケット係合面（１２０）。
【請求項１０】
前記第１の材料は鋼鉄であり、
前記第２の材料は、
工具グレード鋼、
硬化鋼、
炭素鋼、
粉末冶金鋼、または
タングステンカーバイド
のうちの少なくとも１つを含む、
請求項９に記載のトラックパッド（１００）。
【発明の詳細な説明】
【技術分野】
【０００１】
本開示は、一般に連続トラックアセンブリに関し、より具体的には、連続トラックアセンブリ用の多材トラックパッドに関する。
【背景技術】
【０００２】
タンクトレッド（ｔａｎｋ  ｔｒｅａｄ）またはキャタピラートラックとも呼ばれる連続トラックは、連続されるバンドのトレッド（たとえば、トラックパッド、トラックリンクなど）が２つ以上のホイール及び／またはスプロケットによって駆動される車両推進システムである。そのバンドは、モジュラープレートまたはパッドでできている場合がある。トラックの大きい表面積は、同級の車両において鋼鉄やゴムタイヤよりも車両の重量をよりよく分散させ、連続トラック車両が陥没によって動けない現象を少なくした状態で柔らかい地面を走行できるようにする。重機の場合、このバンドのトラックパッドは、ローラー及び／またはバンドを駆動するスプロケットとの接触によって深刻に磨耗される可能性がある。
【０００３】
トラックリンクへの摩耗を低減させる１つの試みが１９９９年１月５日出願された、バーロー（Ｂａｒｌｏｗ）の国際出願公開第９９／３５０２５号（「‘０２５出願」）に開示されている。特に、この‘０２５出願では、トラックリンクが本体部と案内ホーン（ｈｏｒｎ）を含み、上記本体部と上記案内ホーンは互いに一体に形成され、軽い合金でできており、上記本体部と上記案内ホーンのうちの少なくとも１つは別個のセラミック材料からなる軽い合金内に埋め込まれている。
【０００４】
‘０２５出願のトラックリンクが、軽い合金に埋め込まれる別個のセラミック材料を備えた案内ホーンを有するトラックリンクを開示することがあるが、‘０２５は、トラックリンクのスプロケット係合面またはローラー係合面のための耐摩耗性や強靭性の増加を提供することはない。さらに、‘０２５出願のトラックリンクは、軽い合金で形成される場合があり、これは、いくつかの応用例のための十分な軸受強度や強靭性を提供しない場合がある。本開示の多材トラックパッドは、上述の問題のうちの１つ以上及び／または本分野における他の問題を解決する。
【発明の概要】
【課題を解決するための手段】
【０００５】
いくつかの様態では、本開示は、連続トラックアセンブリ用のトラックパッドにおいて、地面係合面を備えた本体であって、上記本体は、第１の硬度を有する金属材料で形成されている本体と、ローラー係合面であって、上記ローラー係合面は、上記第１の硬度よりも大きい第２の硬度を有するセラミック材料で形成されているローラー係合面と、上記セラミック材料で形成されているスプロケット係合面とを含む、連続トラックアセンブリ用のトラックパッドに関する。
【０００６】
いくつかの様態では、本開示は、連続トラックアセンブリ用のトラックパッドにおいて、第１の硬度を有する第１の材料で形成されている本体と、上記連続トラックアセンブリのローラーと係合するように構成されているローラー係合面であって、上記ローラー係合面は、上記第１の硬度よりも大きい第２の硬度を有する第２の材料で形成され、上記第２の材料は、上記ローラーと係合するように構成されているローラー係合面と、上記セラミック材料で形成されているスプロケット係合面とを含む、連続トラックアセンブリ用のトラックパッドに関する。
【０００７】
いくつかの様態では、本開示は、連続トラックアセンブリ用のトラックパッドにおいて、上記トラックパッドの本体上に提供される複数のローラー係合面であって、上記本体は、第１の硬度を有する金属材料で形成され、上記ローラー係合面は、上記第１の硬度よりも大きい第２の硬度を有するセラミック材料で形成され、上記第２の硬度は、上記第１の硬度よりも大きいローラー係合面と、上記本体上に提供され、上記セラミック材料で形成されている複数のスプロケット係合面と、上記本体に提供され、上記セラミック材料で形成されている複数のブッシングとを含む連続トラックアセンブリ用のトラックパッドに関する。
【図面の簡単な説明】
【０００８】
【図１】例示的なトラックパッドのダイアグラムである。
【図２】例示的なトラックパッドの上面図のダイアグラムである。
【図３】ローラーと係合する例示的なトラックパッドのダイアグラムである。
【発明を実施するための形態】
【０００９】
本開示は、トラックパッドに関する。トラックパッドは、連続トラックアセンブリにおいて、これらのトラックパッドを活用する機械に対して汎用性を持つ。「機械」という用語は、重機及び／またはその類似のものなど、連続トラックアセンブリを有する機械を指す場合がある。
【００１０】
図１は、例示的なトラックパッド１００のダイアグラムである。図示のように、トラックパッド１００は、本体１０５、地面係合面１１０、１つ以上のローラー係合面１１５、１つ以上のスプロケット係合面１２０、及び／または１つ以上のブッシング１２５を備えることができる。トラックパッド１００は、場合によってはトラックチェーンとも呼ばれる連続トラックアセンブリの一部であり得る。たとえば、連続トラックアセンブリは、以下の図２に関連してより詳細に記述されるように、一緒にリンクされる多数のトラックパッド１００で構成され得る。
【００１１】
いくつかの実施形態において、本体１０５は、鋼鉄（Ｓｔｅｅｌ）または類似の材料で形成され得る。たとえば、本体１０５は、永久鋳型鋳造などの金属鋳造工程を用いて形成され得る。永久鋳型鋳造において、鋳造材料（たとえば、鋼鉄）は、鋳型に注がれて冷却され、本体１０５を形成する。本体１０５を形成するために使用される材料は、ローラー係合面１１５、スプロケット係合面１２０、及び／またはブッシング１２５用の材料の硬度よりも小さい硬度に関連付けられ得る。非限定的な例示において、本体１０５を形成するのに使用される材料は、約４０ＨＲＣの硬度を有し得る。これは、クラッキング耐性または本体１０５が脆弱であり得る他の変形に対する耐性を提供し得る。
【００１２】
さらなる図示のように、本体１０５は、地面係合面１１０に関連付けられ得る。いくつかの実施形態において、地面係合面１１０は、本体１０５と同じ材料であり得る。たとえば、地面係合面１１０は、本体１０５の一部であり得る。いくつかの実施形態において、地面係合面１１０は、本体１０５に取り付けられ得る。たとえば、地面係合面１１０は、所望の場合、代替され得る脱着可能なシュー（ｓｈｏｅ）、及び／またはその類似のものであり得る。いくつかの実施形態において、地面係合面１１０は、鋼鉄または類似の材料で形成され得る。いくつかの実施形態において、地面係合面１１０は、本体１０５とは異なる材料で形成され得る。
【００１３】
ローラー係合面１１５及びスプロケット係合面１２０は、図１〜３に菱形ハッチングで示されている。菱形ハッチングは、ローラー係合面１１５を示し、スプロケット係合面１２０は、本体１０５（例えば、及び／または地面係合面１１０）とは異なる材料で形成される。いくつかの実施形態において、ブッシング１２５は、本体１０５とは異なる材料で形成され得る。いくつかの実施形態において、ローラー係合面１１５、スプロケット係合面１２０、及び／またはブッシング１２５は、本体１０５よりも大きい硬度を有するセラミック材料で形成され得る。いくつかの実施形態において、ローラー係合面１１５、スプロケット係合面１２０、及び／またはブッシング１２５は、約４５ＨＲＣよりも大きい硬度を有する材料など、本体１０５（たとえば、工具グレード鋼、硬化鋼、炭素鋼、粉末冶金鋼、マンガン鋼、タングステンカーバイドなど）よりもさらに大きい硬度を有する材料などの非セラミック材料で形成され得る。
【００１４】
いくつかの実施形態において、ローラー係合面１１５、スプロケット係合面１２０、及び／またはブッシング１２５は、本体１０５の融点よりも高い融点に関連付けられ得る。これは、以下により詳細に記述されるように、金属鋳造技術を用い、ローラー係合面１１５、スプロケット係合面１２０、及び／またはブッシング１２５を備えた本体１０５の形成が可能になり得る。
【００１５】
いくつかの実施形態において、トラックパッド１００は、金属鋳造技術を用いて形成され得る。たとえば、ローラー係合面１１５、スプロケット係合面１２０、及び／またはブッシング１２５は、トラックパッド１００用の鋳型に垂れ下がっていてよい。別の例において、ローラー係合面１１５、スプロケット係合面１２０、及び／またはブッシング１２５は、鋳型内に配置され得る。たとえば、ローラー係合面１１５は、鋳型の底面に配置でき、スプロケット係合面１２０は、スプロケット係合面１２０に対応する鋳型の表面に配置することができる。溶融鋼鉄は、トラックパッド１００を形成するために鋳型内に注がれ得る。鋳型内に垂れ下がっているか、配置される結果として、ローラー係合面、スプロケット係合面、及び／またはブッシング１２５は、トラックパッド１００と嵌合され得る。
【００１６】
いくつかの実施形態において、ローラー係合面１１５またはスプロケット係合面１２０は、少なくとも部分的にトラックパッド１００内に埋め込まれ得る。いくつかの実施形態において、ローラー係合面１１５は、実質的に互いに平行である複数のローラー係合面１１５のうちの１つであり得る。いくつかの実施形態において、ローラー係合面１１５またはスプロケット係合面１２０は、トラックパッド１００の表面上に提供され得る。いくつかの実施形態において、ローラー係合面１１５またはスプロケット係合面１２０の面（たとえば、図１を参照して内向きの面）は、ローラー係合面１１５またはスプロケット係合面１２０をトラックパッド１００と確実に嵌合するようにする１つ以上の特徴を有し得る（たとえば、溝または刻み目など）。いくつかの実施形態において、ローラー係合面１１５は、ローラー（たとえば、図３のローラー３００）とトラックパッド１００との間の実質的にすべての接触領域を一括して覆うことができる。
【００１７】
いくつかの実施形態において、ローラー係合面１１５は、実質的に平坦であり得る。たとえば、ローラー係合面１１５は、機械の動作中にローラー（たとえば、図３のローラー３００）が係合する表面上に提供され得る。いくつかの実施形態において、スプロケット係合面１２０は、曲面であり得る。いくつかの実施形態において、スプロケット係合面１２０は、実質的に平坦であり得る。いくつかの実施形態において、スプロケット係合面１２０は、スプロケット（図示せず）と係合するように構成されている溝、カップ、及び／またはその類似のものを備えることができる。いくつかの実施形態において、スプロケット係合面１２０は、スプロケット（図示せず）と係合するように構成され得る。
【００１８】
いくつかの実施形態において、ブッシング１２５は、図１に示されるように、露出されているブッシング１２５の環状ベース（たとえば、ブッシング１２５の円筒状シェル）を有し得る。たとえば、環状ベースは、トラックパッド１００の表面と高さが同じであり得るか、またはトラックパッド１００が表面からオプセットされ得る。いくつかの実施形態において、ブッシング１２５の環状ベースは、トラックパッド１００によって覆われ得る。たとえば、鋼鉄表面は、環状ベースを覆うためにブッシング１２５の側面の周りをラップすることができる。
【００１９】
上述されるように、図１は、例示として提供される。他の例も可能であり、図１に関連して記述されるものとは異なる場合がある。
【００２０】
図２は、例示的なトラックパッド１００の上面図のダイアグラムである。示されるように、いくつかの実施形態において、トラックパッド１００は、２つのローラー係合面１１５及び２つのスプロケット係合面１２０を備えることができる。たとえば、スプロケットが、第１の（たとえば、前方）方向に動作するとき、第１のスプロケット係合面１２０がスプロケット（図示せず）と係合でき、スプロケットが、第２の（たとえば、逆）方向に動作するとき、第２のスプロケット係合面１２０がスプロケットと係合することができる。単純化のために図２には、ブッシング１２５は示されていない。本願にて記述されている実装例は、ブッシング１２５を備える場合もあって、備えない場合もある。
【００２１】
ローラー（たとえば、図３に示されているローラー３００）は、ローラー係合面１１５と係合することができる。いくつかの実施形態において、ローラーは、動くトラックパッド１００をガイドするためにガイド要素を備えることができる。たとえば、（図３に示されている）ガイド要素は、（図１にも示されている）スロット２１０に提供され得る。
【００２２】
複数のトラックパッド１００が、互いに接続され、トラックチェーンや連続トラックを形成することができる。たとえば、突出部２２０が、スロット２３０内に嵌合され得る。ブッシング１２５は、各突出部２２０に提供され得る。ピンまたは類似の要素が（図２に示されていない）ブッシング１２５を通して挿入され、隣接するトラックパッド１００をリンクさせることができる。
【００２３】
上述されるように、図２は、例示として提供される。他の例も可能であり、図２に関連して記述されるものとは異なる場合がある。
【００２４】
図３は、ローラー３００と係合する例示的なトラックパッド１００のダイアグラムである。参照番号３１０によって示されるように、ローラー３００は、ローラー係合面（たとえば、図１及び図２のローラー係合面１１５）と係合することができる。さらに示されるように、ガイド要素３２０は、スロット（たとえば、図２のスロット２１０）内に延びられ得、機械の動作中にトラックパッド１００をガイドするように構成され得る。たとえば、ローラー３００が、ローラー係合面と係合するとき、スロットは、ガイド要素３２０を収容するように構成され得る。示されるように、ガイド要素３２０は、トラックパッド１００の上面に係合しないこともある。
【００２５】
上述されるように、図３は、例示として提供される。他の例も可能であり、図３に関連して記述されるものとは異なる場合がある。
【産業上の利用可能性】
【００２６】
本明細書に記載のトラックパッド１００は、連続トラックアセンブリのトラックパッドの期待寿命を改善することができる。単に例示により、誘導ベースの硬化など、硬化表面用技術と比較したとき、トラックパッドの期待寿命が二倍（またはそれ以上）に延びられ得る。たとえば、誘導ベースの硬化と比較し、ローラー係合面１１５、スプロケット係合面１２０、及び／またはブッシング１２５の硬度増加は、改善された軸受強度と摩擦ベースの摩耗に対する耐性を提供し、期待寿命を改善することができる。
【００２７】
鋳造鋳型内にブッシング１２５を垂れ下げたり、配置させたりする技法は、ブッシング１２５の硬度上限値を増加させることができる。たとえば、トラックパッドにブッシングを配置させる１つの技法は、締り嵌め技法であり、ブッシングは、開口部を埋め込んでブッシングを固定するように圧縮される。しかしながら、締り嵌め技法は、十分に硬い材料にクラッキングを引き起こす可能性があるため、締り嵌め技法は、ブッシング用として使用され得る材料の硬度を制限する可能性がある。ブッシング１２５をトラックパッド１００の鋳造用の鋳造鋳型に垂れ下げたり、配置させたりし、より硬い材料がブッシング１２５に使用でき、ブッシング１２５の期待寿命及び耐摩耗性を改善することができる。
【００２８】
いくつかの実施形態において、ローラー係合面１１５及び／またはスプロケット係合面１２０は、トラックパッド１００内に埋め込まれ得る。これは、汚染物質が表面とトラックパッド１００との間に入るのを防ぐことができる。いくつかの実施形態において、ブッシング１２５の環状ベースは、本体１０５によって囲まれ得る。これはまた、汚染物質がブッシング１２５と本体１０５との間に入るのを防ぎ、ブッシング１２５の期待寿命を増加させることができる。
【００２９】
本願にて使用されるように、冠詞「ａ」または「ａｎ」は、１つ以上のアイテムを含むように意図され、「１つ以上の（ｏｎｅ  ｏｒ  ｍｏｒｅ）」に互換的に使用することができる。また、本願にて使用されるように、用語「有している（ｈａｓ）」、「有する（ｈａｖｅ）」、「備える（ｈａｖｉｎｇ）」などは制限のない用語として意図される。さらに、文句「ベースの（ｂａｓｅｄ  ｏｎ）」は「少なくとも部分的にベースとなる」を意味するように意図される。
【００３０】
上述の開示は、例示及び説明を提供するが、徹底的であったり、開示されている正確な形式に対する実装例を限定したりすることを意図するものではない。変形例及び変更例が、上述の開示に照らして可能であるか、または実装例の実施からえられ得る。本明細書は、単の例と見なされるべきであり、真の本開示の範囲が以下の特許請求の範囲およびそれらの均等物によって示されることが意図されている。たとえ、特徴の特別な組み合わせが請求項に言及され、及び／または本明細書にて開示されているが、これらの組み合わせは、可能な実装例の開示を制限することを意図するものではない。以下に挙げられる各従属項は、単に１つの請求項に直接従属されるが、可能な実装例の開示は、請求項セットで他の請求項と組み合わされる各従属項を含む。
【図１】
2021523851.tif 000003
【図２】
2021523851.tif 000004
【図３】
2021523851.tif 000005
【国際調査報告】
2021523851.tif 000006
2021523851.tif 000007
2021523851.tif 000008